(57)【特許請求の範囲】
【請求項１】
前面部が前方の室床方向に傾斜する前板を備え、内部に収容した送風機ユニットの作動及び停止を前記前面部に設けた操作部で操作するレンジフードファンにおいて、前記前板下縁の縁取り部裏面にスイッチボックスを取付支持する幅狭な取付台を固定し、その取付台にスイッチボックスを取付け、そのスイッチボックス下端に設けた化粧縁の一部で前記縁取り部に対する取付台の固定部を表面側からカバーすると共に、その化粧縁の残部を前記縁取り部レベルから鉛直状乃至後方下向き傾斜状に垂設し、その部分に前記操作部を配置したことを特徴とするレンジフードファン。
【請求項２】
前記取付台を兼用して下方を照射するランプケースをスイッチボックスの上に直線状に取付けたことを特徴とする請求項１記載のレンジフードファン。
【請求項３】
前記ランプケースが断面円弧形の透明なランプカバーを表面カバーとして備え、そのランプカバー内に位置させてランプを収容していることを特徴とする請求項２記載のレンジフードファン。
【発明の詳細な説明】
【０００１】
【産業上の利用分野】
本発明は、燃焼器具や調理物から立ち昇る廃ガスを含む排煙に含まれる水分や油脂分を除去しクリーンにして排気するレンジフードファン、更に詳しくは前面部に設けた操作部の操作性、排気効率が向上するレンジフードファンに関するものである。
【０００２】
【従来の技術】
レンジフードファンには前板と、排気装置を備えたフード体と、フード体に設けた仕切板と、その仕切板先端とフード体の天板部に設けたフィルタ桟に支持されるフィルタとを備え、その前板を排煙の捕捉空間を拡張させるために前方の室床方向に向けて傾斜状にしたタイプのものがある。
そして、このレンジフードファンは、排気装置の作動・停止・回転数の制御、ランプのＯＮ・ＯＦＦ等を行う操作部を前板の前面部に設けている。
【０００３】
【発明が解決しようとする課題】
ところで、レンジフードファンでは一様にフィルタの下端を床面から略１６０乃至１６５ｃｍ程度の高さにすることが法規として定めており、その結果、前面部も必然的に高い高さに配備される。
その上、前記するタイプのレンジフードファンは、前板が燃焼器具をセットした調理台の上方で前方張出状になる。
そのため、燃焼器具の前に立って操作部を操作しようとする時、操作部が前板で遮られて視線に入らなくなり、操作しずらい。ことに背の低い人や老人等では指が届き難く、操作が一層むずかしくなる。
これを解消すべく図７に示すように前板２の下縁に幅方向全長に亘って後方傾斜状の帯状取付板７２を固定し、その帯状取付板７２に前方斜め下向きに向けて操作部３を配置したレンジフードファンが既に提案されている。
しかし、この先行例では帯状取付板７２の前板２へのスポット溶接痕であるヒケ部が室内に露呈して内装性を害し、また組立施工を煩雑にする。
また、このレンジフードファンは前板２の前面部５２の裏面に仕切板８２を幅方向全長に亘って横架し、その仕切板８２の内部に操作部３の電装部（スイッチ）を収容し、その仕切板８２を利用して下方照明９２を取付けている。
そのため、その仕切板８２の幅方向全長への突出によって排煙の捕捉空間が大幅に削減されて、排煙捕捉効率が悪くなる問題があった。
【０００４】
本発明は、従来事情に鑑みてなされたもので、その技術的課題は前板の前面部の裏面に設けられ固定部（ヒケ部等）が露呈することのない幅狭な取付手段で前板前面部下縁に操作部を操作可能に支持して、排煙の捕捉空間を広く確保し且つ内装性を害することなく背の低い人や老人等でも容易に操作できるレンジフードファンを提供することにある。
更に他の技術的課題は操作部を取付ける取付手段をランプの取付手段として兼用することで、構造を簡素化するレンジフードファンを提供することにある。
【０００５】
【課題を解決するための手段】
上記目的を達成するために講じた技術的手段は、請求項１は前面部が前方の室床方向に傾斜する前板を備え、内部に収容した送風機ユニットの作動及び停止を前記前面部に設けた操作部で操作するレンジフードファンにおいて、前記前板下縁の縁取り部裏面にスイッチボックスを取付支持する幅狭な取付台を固定し、その取付台にスイッチボックスを取付け、そのスイッチボックス下端に設けた化粧縁の一部で前記縁取り部に対する取付台の固定部を表面側からカバーすると共に、その化粧縁の残部を前記縁取り部レベルから鉛直状乃至後方下向き傾斜状に垂設し、その部分に前記操作部を配置したことを要旨とする。
また、請求項２は、請求項１記載の取付台を兼用して下方を照射するランプケースをスイッチボックスの上に直線状に取付けたことを要旨とする。
更に、請求項３は、請求項２記載のランプケースが断面円弧形の透明なランプカバーを表面カバーとして備え、そのランプカバー内に位置させてランプを収容していることを要旨とする。
ここで前記する操作部は押しボタン式、タッチ式等である。
【０００６】
【作用】
上記技術的手段によれば、下記の作用がある。
（請求項１）前方の室床方向に傾斜する前板の最も低い位置で且つ調理台前方位置から見える部分に前方から前方斜め下向きの角度範囲をもって操作部を配置する。
しかも、排煙の捕捉空間を削減しないように幅狭な取付台でスイッチボックスを支持し、またスイッチボックスを支持する取付台の前板への固定部を室内に露呈させない。
（請求項２）その幅狭な取付台を利用して調理台を照らす照明手段をスイッチボックスの真上に取付ける。
（請求項３）その照明手段の表面カバーである断面円弧形のランプカバーが広範囲を均一に照らす。
【０００７】
【発明の効果】
本発明は以上のように構成したから、下記の利点がある。
（請求項１）前板下縁の縁取り部裏面にスイッチボックスを取付支持する幅狭な取付台を固定し、その取付台にスイッチボックスを取付け、そのスイッチボックス下端に設けた化粧縁の一部で前記縁取り部に対する取付台の固定部を表面側からカバーすると共に、その化粧縁の残部を前記縁取り部レベルから鉛直状乃至後方下向き傾斜状に垂設し、その部分に操作部を配置してその操作部を前方乃至前方斜め下向きに向けたので、操作部は低い位置で且つ見やすくなり、操作が非常にしやすくなる。
そのため、背の低い人や老人等でも排気装置の作動・停止・回転数の制御、ランプのＯＮ・ＯＦＦ等を容易且つ近くで行うことができる。
しかも、取付台はスイッチボックスを取付支持する幅狭なものであるから、排煙の捕捉空間に突出する体積も極小となり、排煙効率を向上できる。
その上、取付台の固定部（スポット溶接、ネジ、リベット）が室内に露出せず、しかも調理台の前に立った時に操作部と共に化粧縁だけが認識されるようになるので、前板の広い前面部が平面のまま室内に露呈し、今までにないシンプルでさわやかなスッキリ感が得られ、商品価値を高めることができ、操作時においてもスイッチボックスが化粧縁で隠されて見えず、見栄えが非常に良いレンジフードファンになる。
（請求項２）更に、操作部の固定手段である取付台を使用してランプケースを取付けるようにしているため、別途の取付手段でランプケースを取付装備する必要がなく、構造的に簡素化し、コストが低減できる上、従来のようにランプを支持する仕切板で排煙の捕捉空間が遮られることもなくなり、排煙の捕捉効率をアップさせることができる。
（請求項５）また、スイッチボックスの真上に取付けたランプケースのランプカバーを透明な断面円弧形に形成し、その透明なランプカバー内にランプを収容しているため、その機能で広い範囲が均等に照らされ、燃焼器具が複数あるものにおいても各燃焼器具で併行して行っている調理の確認（蒸し具合、煮具合、焼き具合等）が正確に行え、且つ隣設するまな板等で行う魚の骨抜き、鮮度の確認、皿盛り等を明るい状況下で行うことが可能となり、調理の作業性が非常に良くなる上、その断面円弧形の形状特殊性で排煙の上昇抵抗を低く抑えることができることから、ランプケースを前板の裏側に設けられていながら排煙の捕捉効率を低下させる虞れがない。
【０００８】
【実施例】
次に、本発明の実施例を図面に基づいて説明する。
図１乃至図５は第１実施例を、図６は第２実施例を各々示している。まず、第１実施例について説明すると、符号Ａはレンジフードファン本体である。
【０００９】
このレンジフードファン本体Ａは、図１に示すように前面及び下面を開放したフード体１の前面を前板２で着脱可能に被蓋すると共にそのフード体２の左右側板１２、１２に架設した仕切板２２先端の桟（図示せず）と天板３２に設けた桟（図示せず）とでフィルタ４２を係脱可能に支持した箱形状になっており、フィルタ４２背後には送風機ユニット（図示せず）が収容されている。
【００１０】
このレンジフードファン本体Ａの前板２の前面部５２は、フィルタ４２との間の排煙の捕捉空間を広くするために前方の室内床側に向かって傾斜状になっており、その下縁に断面Ｌ型の縁取り部６２を奥行き方向に上向きに折曲形成して、フード体２に係脱させる時の取扱作業時に鋭利な縁で怪我等しないように配慮してある。
【００１１】
この前板２の前面部５２の中央部には、その下縁レベルから前方斜め下向きに向かせて操作部３が配置されている。
【００１２】
この操作部３は、送風機ユニット（図示せず）のＯＮ・ＯＦＦ、その回転数の選定、照明手段であるランプのＯＮ・ＯＦＦをコントロールする時の押しボタン、タッチボタン等であり、前板２の前面部５２の幅方向中央に配置されており、前板２の裏側において前記縁取り部６２の底にスポット溶接等適宜手段で部分的に固定した幅狭な取付台１３に取付けられたスイッチボックス２３から突き出ている。
【００１３】
この取付台１３は、後述するスイッチボックス２３と同等幅寸法を有してなり、図２、図５に示すように前記縁取り部６２に固定する固定板部１３ａから前板２の前面部５２裏面に沿い所定面積をもって立上がり板部１３ｂを立ち上げ形成し、その先端から取付板部１３ｃをフィルタ４２側に折曲した形状になっており、その取付板部１３ｃの長さ方向に間隔をおいて第１固定孔１３ｄを穿孔している。
【００１４】
スイッチボックス２３は、図２、図３に示すように略箱形状を呈するスイッチカバー２３ａと、化粧縁２３ｂとからなっており、内部に操作部３に接続するスイッチ２３ｃと共にそれを支持するスイッチ支持枠２３ｄを収容した状態で前記取付台１３に取付けられる。
【００１５】
スイッチ支持枠２３ｄは、図２、図３に示すように前記取付板部１３ｃと平行な平行板部２３ｄー１の両端部からＬ形板部２３ｄー２を下向きで且つ逆向きに連設した形状になっており、その平行板部２３ｄー１には前記第１固定孔１３ｄと対応して第２固定孔２３ｄ’を開孔している。
【００１６】
また、スイッチ支持枠２３ｄは、前記Ｌ形板部２３ｄー２下端の腕板部２３ｄー３後から挿通するネジ１００  をスイッチ２３ｃを収容するケース２３ｃ’の両側から突設する支持板２３ｃ”を貫通させて化粧縁２３ｂの裏面から上向きに突設した円柱体２３ｂ’に螺着することによってスイッチ２３ｃのケース２３ｃ’と共に化粧縁２３ｂと一体的にしてある。
【００１７】
スイッチカバー２３ａは、図２、図３に示すように前板２の前面部５２裏面と対向する前側と、下側とを開放し且つその天板部２３ａ’にスイッチ２３ｃへの接続コード２００  の挿入用切欠２０１  を切欠形成した箱形状を呈してなり、その天板部２３ａに前記第１固定孔１３ｄ、第２固定孔２３ｄ’に対応して第１挿通孔２３ａ”を開孔している。
【００１８】
このスイッチカバー２３ａは、第１固定孔１３ｄ、第２固定孔２３ｄ’に第１挿通孔２３ａ”から挿通するネジ３００  を螺着することで、その下端を前記化粧縁２３ｂの上面に当接させて前記取付台１３に取付けてある。
【００１９】
スイッチボックス２３を取付台１３に取付けた時には図２に示すようにスイッチボックス２３の前側開放縁が前板２の前面部５２裏面に当接して閉塞され、また化粧縁２３ｂは前記縁取り部６２の底表面とほぼ同面レベルとなる。
【００２０】
この化粧縁２３ｂは後方下向き傾斜状とし、図２、図３に示すように前側一半部を前記縁取り部６２の底表面にオーバーラップする幅寸法にして前記固定部ａであるスポット溶接によるヒケ部等を隠すようになっており、後側他半部には操作部３のガイド孔１３を一列に開孔し、そのガイド孔１３から前方斜め下向きに向かせてその操作部３を突出させている。
【００２１】
尚、符号４は縁取り部６２との衝合をさけるためにスイッチカバー２３ａの側面部に形成した切り欠きである。
【００２２】
また、前記取付台１３をランプケース９の取付台として兼用してランプケース９が取付けられている。
【００２３】
ランプケース９は、ランプ取付板１９、ランプ台２９、ランプボックス３９、ランプカバー４９からなっている。
【００２４】
ランプ取付板１９は、図２、図４に示すように前記スイッチカバー２３ａの天板部２３ａ’上に重ねられて前記ネジ３００  を利用して取付けられる板部１９ａから前板２の前面部５２裏面に沿って支持板部１９ｂを立ち上げその先端から前面部５２裏面に先端が当接する突き当て板部１９ｃを折曲してなり、その支持板部１９ｂには第３固定孔１９ｄが長さ方向端部部分に一対形成してある。
【００２５】
ランプ台２９は、図２、図４に示すように前記支持板部１９ｂの表面に当接する面板部２９ａから取付板部２９ｂをフィルタ４２方向に後方斜め傾斜状に折曲すると共にその取付板部２９ｂの両側縁から前板２側に向けて取付フランジ２９ｃを直角に折曲し、その取付フランジ２９ｃに第４固定孔２９ｄを開孔し、取付板部２９ｂにはランプレセップ１０ａの差込保持孔２９ｅを、また前記支持板部１９ｂの第３固定孔１９ｄと対応して面板部２９ａ部分に第２挿通孔２９ｆとが開孔されている。
【００２６】
ランプボックス３９は、図４に示すように前板２側の前面を開放した箱形状を呈し、フィルタ４２側の表面板部３９ａにランプカバー４９の被蓋口３９ｂを開口すると共に、その被蓋口３９ｂ口縁内側に周設した突縁３９ｃの中央部下端に掛止用の切り欠き３９ｄを切欠によって形成している。
【００２７】
また、ランプボックス３９は、前記ランプ台２９の取付フランジ２９ｃを両側板部３９ｅ、３９ｅ内面に当接させるように組み合わせると共に、その両側板部３９ｅ、３９ｅに前記第４固定孔２９ｄと対応して第３挿通孔３９ｆを開孔してなり、第３挿通孔３９ｆを挿通するネジ４００  を第４固定孔２９ｄにネジ４００  止めしてランプ台２９を取付けている。
ランプレセップ１０ａは、図２に示すように前記差込保持孔２９ｅに係合させた状態でそのランプレセップ１０ａの基端に突設した取付部１０ａ’を前記取付板部２９ｂにネジ止めして取付けられている。
【００２８】
ランプ台２９を備えたランプボックス３９のランプ取付板１９への取付けは前記被蓋口３９ｂを介して第２挿通孔２９ｆからネジ５００  を挿通させて第３固定孔１９ｄに螺着することで行われ、この時、ランプボックス３９の前縁が前板２における前面部５２裏面に当接する。
【００２９】
透明なランプカバー４９は、図２、図４に示すように断面円弧形、詳細にはランプ１０の過半部をランプボックス３９の表面板部３９ａより突出した状態で覆う形に膨出させた形状を呈し、縁枠４９ａを一体的に周設し、その縁枠４９ａの中央部下端に被蓋口３９ｂ口縁内側の前記切り欠き３９ｄへの差し込み係合片４９ｂを突設すると共に同縁枠４９ａの中央部上端に操作摘み付のネジ６００  を備えた突板部４９ｃを突設している。
【００３０】
このランプカバー４９は、前記突板部４９ｃをランプ取付板１９に取付けられているランプボックス３９の表面板部３９ａにネジ６００  止めして被蓋口３９を閉口するようになる。これによってランプ１０は内部に位置させた状態で収容され、またネジ６００  を緩めて差し込み係合片４９ｂと切り欠き３９ｄとの係合部を中心に回動させたり、そこから外すことで、ランプ１０の交換を可能にする。
【００３１】
尚、符号７００  は冷却孔である。
【００３２】
このようなスイッチ構造及びランプ構造を有するレンジフードファンは、同レンジフードファンから離れている時には操作部３の取付構造がその固定部ａと共に前板２で前側から隠され、前板２の前面部５２を平面のままスッキリと露呈させる。
そして、調理台の前に立った時、離れていた時には目立たなかった操作部３が前板２の最も低い位置で顕著な姿で現れ、指先Ｘの押し動作によって操作できる。
従って、操作部３及びその付帯機器の表面側への露呈による内装性の悪さを解消して、尚且つ背の低い人、老人等でも容易に操作させることができる。
【００３３】
また、前記するスイッチボックス２３の取付台１３を使用してランプ１０の過半部分だけを突出させて覆うランプカバー４９で被蓋したランプケース９が取付支持されているため、取付構造が単純化できるばかりでなく、ランプカバー４９による排煙の上昇抵抗が低減して排煙の捕捉効率を低下させず、また、図示のように幅狭な取付台１３が前板２の裏側中央部に設けられていることから必然的にランプケース９もその真上にセットされ、ランプ１０の過半部分が突出しているので、広い範囲に亘る均等な照射性によって複数の燃焼器具を平等に明るく照らすことができるし、複数の燃焼器具から上昇する排煙の上昇量の一番少ない部位となる幅方向の中央部にスイッチボックス２３と共にランプケース９を配設しているため、排煙の捕捉効率を低下させる虞れがなく、調理の確認（蒸し具合、煮具合、焼き具合等）は勿論、隣設するまな板等で行う魚の骨抜き、鮮度の確認、皿盛り等を明るい状況下で正確に行うことが可能となる。
【００３４】
次に、第２実施例について説明すると、操作部３を前方から操作可能にしたものである。
この実施例は、前板２の裏側において前記縁取り部６２の底にスポット溶接等適宜手段で部分的に固定した幅狭な取付台１３のその固定部ａを表面側からカバーする化粧縁２３ｂ  の他半部を垂設してその部分から操作部３を前方に水平に突出させている。前記する第１実施例と比べてスイッチボックス２３のフィルタ４２側に突出する量が若干大きくなり、それに伴って取付台１３の取付板部１３ｃがフィルタ４２方向に長くなり、取付板部１３ｃの延長部分にスイッチカバー２３ａと共にスイッチ支持枠２３ｄをネジ３００  止めし、取付台１３における取付板部１３ｃの前半部を取付台として前記第１実施例と同様にランプケース９を取付けている。
【００３５】
尚、第１、第２実施例共に取付台１３にランプケース９を取付けた結果、ランプケース９の重みも前記縁取り部６２との固定部ａに作用することになる。耐久性を向上させることを目的として前板２の頂面等に固定部ａが見えない状態で取り付けた簡易形状の支持腕等でランプケースの前面を支持するようにしても良いものである。
【図面の簡単な説明】
【図１】第１実施例であるレンジフードファンの斜視図。
【図２】要部の拡大断面図。
【図３】操作部、化粧縁、スイッチボックス、取付台、ランプ取付板の関係を示す分解斜視図。
【図４】ランプ取付板、ランプ台、ランプボックス、ランプケースの関係を示す分解斜視図。
【図５】取付台の固定構造を示す斜視図で一部切欠して示す。
【図６】第２実施例であるレンジフードファンの拡大正面図で一部切欠して示す。
【図７】従来技術の斜視図。
【符号の説明】
５２    ：前面部                            ３  ：操作部
２    ：前板                        ６２    ：縁取り部
１３    ：取付台                          ２３ａ：スイッチカバー
２３ｂ：化粧縁                          ２３    ：スイッチボックス
ａ    ：固定部                          ９    ：ランプケース
４９    ：ランプカバー                  １０    ：ランプ
１  ：フード体                  Ａ  ：レンジフードファン本体
【図１】
0003612107.tif 000002
【図２】
0003612107.tif 000003
【図３】
0003612107.tif 000004
【図４】
0003612107.tif 000005
【図５】
0003612107.tif 000006
【図６】
0003612107.tif 000007
【図７】
0003612107.tif 000008